(57)【要約】  身体の動きを加速度として検出する加速度センサ１１により測定される加速度情報と、身体の動きを角速度として検出する角速度センサ１２により測定される角速度情報との相関に基づいて、使用者の無呼吸状態を検出する検出部１３を備え、加速度センサ１１により測定される加速度だけでなく、角速度センサ１２により測定される角速度の両方が無呼吸状態を示している場合にのみ、無呼吸状態であると判定するようにすることで、睡眠中の無呼吸をより正確に検出できるようにする。
2017163301.tif 000002
【特許請求の範囲】
【請求項１】
睡眠の期間中に使用者の身体に装着して無呼吸状態を検出するための無呼吸検出装置であって、
上記身体の動きを加速度として検出する加速度センサと、
上記身体の動きを角速度として検出する角速度センサと、
上記加速度センサにより測定される加速度情報および上記角速度センサにより測定される角速度情報の相関に基づいて、使用者の無呼吸状態を検出する検出部とを備えたことを特徴とする無呼吸検出装置。
【請求項２】
上記検出部は、上記加速度の値が閾値以下で、かつ、上記角速度の値が閾値以下となっている期間を上記無呼吸状態として検出することを特徴とする請求項１に記載の無呼吸検出装置。
【請求項３】
上記加速度センサにより上記使用者の体厚方向の加速度を検出し、上記角速度センサにより上記使用者の体幅方向を回転軸とする角速度を検出することを特徴とする請求項１に記載の無呼吸検出装置。
【請求項４】
上記検出部により上記無呼吸状態が検出されたときにアラームを出力するアラーム出力部を更に備えたことを特徴とする請求項１に記載の無呼吸検出装置。
【発明の詳細な説明】
【技術分野】
【０００１】
本発明は、睡眠の期間中に使用者の身体に装着して無呼吸状態を検出するための無呼吸検出装置に関するものである。
【背景技術】
【０００２】
睡眠時無呼吸症候群は、睡眠時に呼吸停止または低呼吸になる病気である。この病気は自覚症状が弱い場合が多い。これに対して従来、睡眠中の体動または加速度を検出して無呼吸状態を検出する技術が知られている（例えば、特許文献１〜３参照）。【０００３】
特許文献１〜３に記載の睡眠時無呼吸検査装置は、三次元の加速度センサと、加速度センサから得られるＤＣ成分から患者の寝姿勢を検出するとともに、加速度センサから得られるＡＣ成分から患者の呼吸数や心拍数を検出する信号処理手段とを備え、１台の加速度センサから、睡眠検査や睡眠時無呼吸検査に必要な情報を得ることができるようになされている。【０００４】
【特許文献１】特開２００６−２４７３７４号公報
【特許文献２】特開２００６−３２０７３３号公報
【特許文献３】特開２００６−３２０７３４号公報
【発明の開示】
【０００５】
特許文献１〜３では、加速度センサから得られるＡＣ成分に対して所定の演算を行うことによって算出される呼吸に基づく体動データを、データベースに格納されている呼吸中の体動データおよび無呼吸中の体動データと比較し、呼吸状態か無呼吸状態かのどちらかを推定するようになされている。
【０００６】
しかしながら、呼吸によって得られる加速度はそれほど大きな値ではないため、上述のように単純なデータ比較による判定方法では、呼吸状態か無呼吸状態かのどちらかを誤って推定してしまうことがあるという問題があった。
【０００７】
本発明は、このような問題を解決するために成されたものであり、睡眠中の無呼吸をより正確に検出できるようにすることを目的とする。
【０００８】
上記した課題を解決するために、本発明では、身体の動きを加速度として検出する加速度センサにより測定される加速度情報と、身体の動きを角速度として検出する角速度センサにより測定される角速度情報との相関に基づいて、使用者の無呼吸状態を検出するようにしている。
【０００９】
上記のように構成した本発明によれば、加速度センサにより測定される加速度だけでなく、角速度センサにより測定される角速度の両方が無呼吸状態を示している場合にのみ、無呼吸状態であると判定されるので、睡眠中の無呼吸をより正確に検出することができる。
【図面の簡単な説明】
【００１０】
【図１】本実施形態による無呼吸検出装置の機能構成例を示すブロック図である。
【図２】本実施形態による無呼吸検出装置の外観構成例を示す図である。
【発明を実施するための最良の形態】
【００１１】
以下、本発明の一実施形態を図面に基づいて説明する。図１は、本実施形態による無呼吸検出装置の機能構成例を示すブロック図である。図２は、本実施形態による無呼吸検出装置の外観構成例を示す図である。【００１２】
本実施形態による無呼吸検出装置１０は、睡眠の期間中に使用者の身体に装着して無呼吸状態を検出するためのものである。図２に示すように、本実施形態の無呼吸検出装置１０は携帯型に構成されており、例えばこれを使用者の胸部または腹部に装着して、使用者の無呼吸状態を検出する。【００１３】
なお、睡眠中に無呼吸検出装置１０が身体からずれ落ちないように、無呼吸検出装置１０を身体に固定するためのベルト２１が備えられている。ここではベルト２１を用いているが、固定方法はこれに限定されない。例えば、テープ等を使って無呼吸検出装置１０を身体に固定するようにしてもよい。【００１４】
図１に示すように、本実施形態による無呼吸検出装置１０は、その機能構成として、加速度センサ１１、角速度センサ１２、検出部１３およびアラーム部１４を備えている。このうち、検出部１３およびアラーム部１４は、その機能の一部または全部をハードウェア、ＤＳＰ（Digital Signal Processor）、ソフトウェアの何れによっても構成することが可能である。【００１５】
例えばソフトウェアによって構成する場合、上記各機能ブロック１３，１４は、実際にはコンピュータのＣＰＵ、ＲＡＭ、ＲＯＭなどを備えて構成され、ＲＡＭやＲＯＭ、ハードディスクまたは半導体メモリ等の記憶媒体に記憶されたプログラムが動作することによって実現される。【００１６】
加速度センサ１１は、使用者の身体の動きを加速度として検出する。使用者の左右方向（体幅方向）をＸ軸、使用者の前後方向（身長方向）をＹ軸、使用者の上下方向（腹部および背部を結ぶ体厚方向）をＺ軸として、加速度センサ１１は、１軸〜３軸の何れのタイプを用いてもよいが、Ｚ軸方向（体厚方向）の加速度を少なくとも検出するものとする。使用者が呼吸をすると、胸部または腹部に固定された無呼吸検出装置１０は、体厚方向に上下動するからである。【００１７】
角速度センサ１２は、使用者の身体の動きを角速度として検出する。この角速度センサ１２は、１軸〜３軸の何れのタイプを用いてもよいが、Ｘ軸を回転軸とする角速度（Ｙ−Ｚ平面上の回転角の角速度）を少なくとも検出するものとする。使用者が呼吸をすると、胸部または腹部に固定された無呼吸検出装置１０は、前後方向に傾きながら体厚方向に上下動するからである。【００１８】
なお、加速度センサ１１による加速度の検出および角速度センサ１２による角速度の検出は、使用者の睡眠中に継続して行う。【００１９】
検出部１３は、加速度センサ１１により測定される加速度情報および角速度センサ１２により測定される角速度情報の相関に基づいて、使用者の無呼吸状態を検出する。具体的には、検出部１３は、加速度の値が閾値以下で、かつ、角速度の値が閾値以下となっている期間を無呼吸状態として検出する。ここで、加速度センサ１１または角速度センサ１２が複数軸方向の値を検出している場合、検出部１３は、複数軸方向の値が全て閾値以下となっているときに、無呼吸状態であると判定する。【００２０】
アラーム部１４は、検出部１３により無呼吸状態が検出されたときにアラームを出力する。アラームは、例えばバイブレータを振動させることによって行う。あるいは、所定のアラーム音をスピーカから出力するようにしてもよい。【００２１】
以上詳しく説明したように、本実施形態の無呼吸検出装置１０では、身体の動きを加速度として検出する加速度センサ１１により測定される加速度情報と、身体の動きを角速度として検出する角速度センサ１２により測定される角速度情報との相関に基づいて、使用者の無呼吸状態を検出するようにしている。【００２２】
このように構成した本実施形態の無呼吸検出装置１０によれば、加速度センサ１１により測定される加速度だけでなく、角速度センサ１２により測定される角速度の両方が無呼吸状態を示している場合にのみ、無呼吸状態であると判定されるので、睡眠中の無呼吸をより正確に検出することができる。【００２３】
使用者の寝方によっては体動が微弱になり、加速度センサ１１により検出される加速度の値が小さくなる。そのような場合でも、本実施形態では角速度センサ１２により角速度も検出しているため、検出される値が小さくても両者の相関から無呼吸を検出することができる。【００２４】
なお、上記実施形態では、アラーム部１４を設ける例について説明したが、本発明はこれに限定されない。例えば、アラーム部１４に代えて情報記録部を設け、睡眠中に加速度センサ１１により測定される加速度情報および角速度センサ１２により測定される角速度情報を記憶媒体に記録するようにしてもよい。このようにすれば、記録した情報を図示しない外部コンピュータに出力して利用することが可能である。あるいは、無呼吸検出装置１０自体にディスプレイを設け、記憶媒体に記録された情報をグラフィック的に可視化して表示できるようにしてもよい。【００２５】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００２６】
１０  無呼吸検出装置
１１  加速度センサ
１２  角速度センサ
１３  検出部
１４  アラーム部
【図１】
2017163301.tif 000003
【図２】
2017163301.tif 000004
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
睡眠の期間中に使用者の身体に装着して無呼吸状態を検出するための無呼吸検出装置であって、
上記身体の動きを加速度として検出する加速度センサと、
上記身体の動きを角速度として検出する角速度センサと、
上記加速度センサにより測定される加速度情報および上記角速度センサにより測定される角速度情報の相関に基づいて、使用者の無呼吸状態を検出する検出部とを備え、
上記検出部は、上記加速度の値が閾値以下で、かつ、上記角速度の値が閾値以下となっていて、上記加速度と上記角速度との両方が上記無呼吸状態を示している期間を上記無呼吸状態として検出することを特徴とする無呼吸検出装置。
【請求項２】
（削除）
【請求項３】
上記加速度センサにより上記使用者の体厚方向の加速度を検出し、上記角速度センサにより上記使用者の体幅方向を回転軸とする角速度を検出することを特徴とする請求項１に記載の無呼吸検出装置。
【請求項４】
上記検出部により上記無呼吸状態が検出されたときにアラームを出力するアラーム出力部を更に備えたことを特徴とする請求項１に記載の無呼吸検出装置。
【国際調査報告】
2017163301.tif 000005
2017163301.tif 000006
2017163301.tif 000007
2017163301.tif 000008